(57)【特許請求の範囲】
【請求項１】
上下枠と左右のたて枠とからなる周囲枠の中に面格子本体が開閉自在にとりつけられる面格子において、該面格子本体は一側の上下端に掛合ピンまたはガイド溝を有し、一方上下枠の一側にはガイド溝または掛合ピンを有し、上記面格子本体は上下枠に対してその長手方向に沿って所定の間隔スライドし、面格子本体の一側を上下枠の一側に接近せしめ、次いで該面格子本体は一側を支点として上記上下枠の長手方向に対して直交する方向に回転するように設けられていることを特徴とする面格子。
【請求項２】
面格子本体の一側と左右たて枠の一側とに施錠機構が設けられていることを特徴とする請求項１記載の面格子。
【請求項３】
面格子本体の一側の上下端部にそれぞれ左右方向に沿って掛合ピンを近接して立設し、一方上下枠の一側にそれぞれ上記掛合ピンの受具を形成し、該受具は上記掛合ピンが左右方向にスライドできるガイド溝と、そのガイド溝に連通しており、上記掛合ピンの内側の掛合ピンを支点として面格子本体が回転する際に外側の掛合ピンが回転するガイド溝とが形成されていることを特徴とする請求項１または請求項２記載の面格子。
【発明の詳細な説明】
【０００１】
【産業上の利用分野】
本発明は避難用におよび防犯用に適している面格子を提供する。
【０００２】
【従来の技術】
従来上記した利用分野に使用されている面格子は公知であり、例えば面格子の一側を支点にして片開き扉のごとく回転することによって周囲枠にたいして開閉できる構造である。
【０００３】
【発明が解決しょうとする課題】
上記した従来構造の面格子は開口面積が大きくなると、面格子本体の少なくともよこ長さが大きくなり、そのために大型の面格子本体となり、重量も重くなり、よってコストアップ、施工の面倒さ、使用者の開閉操作の煩わしさ、回転機構にかかる荷重の負担等の問題点が懸念される。本発明は上記課題を解決する。
【０００４】
【課題を解決するための手段】
その構成はつぎのとおりである。
その一つは「上下枠と左右のたて枠とからなる周囲枠の中に面格子本体が開閉自在にとりつけられる面格子において、該面格子本体は一側の上下端に掛合ピンまたはガイド溝を有し、一方上下枠の一側にはガイド溝または掛合ピンを有し、上記面格子本体は上下枠に対してその長手方向に沿って所定の間隔スライドし、次いで該面格子本体は一側を支点として上記上下枠の長手方向に対して直交する方向に回転するように設けられていることを特徴とする面格子」である。
【０００５】
その二つは「上記の面格子において面格子本体の一側と左右たて枠の一側とに施錠機構が設けられていることを特徴とする面格子」である。
【０００６】
その三つは、「上記面格子において、面格子本体の一側の上下端部にそれぞれ左右方向に沿って掛合ピンを近接して立設し、一方上下枠の一側にそれぞれ上記掛合ピンの受具を形成し、該受具は上記掛合ピンが左右方向にスライドできるガイド溝と、そのガイド溝に連通しており、上記掛合ピンの内側の掛合ピンを支点として面格子本体が回転する際に外側の掛合ピンが回転するガイド溝とが形成されていることを特徴とする面格子」である。
【０００７】
【作用】
本発明によれば周囲枠に対する面格子本体の開閉は、まず開にする場合引戸式に上下枠の長手方向に対してスライドし、面格子本体の一側を上下枠の一側に接近せしめ、次いで片開き扉式に一側を支点として回転できる構成であるので、上記した従来構造のものと上下枠の開口巾が同じでも面格子本体の巾は上下枠の長手方向にスライドできる分だけ従来のものより短く設計できるので、コストダウンとなり、軽量であり、施工のやりやすさ、使用者の開閉操作の便利さ、回転機構にかかる荷重の軽減等のメリットがある。
さらに面格子本体と周囲枠の一側のたて枠間に空間隙が生じることとなり、それなりの意匠感を呈する。
【０００８】
さらに施錠装置を設ければ防犯にも適している。しかも面格子本体のスライド機構と回転機構において、面格子本体の一側の上下端に左右方向に沿って掛合ピンを近接して立設し、一方上下枠には、それに対応する箇所に掛合ピン受具を形成し、かつその受具に上記掛合ピンの移動軌跡に合うガイド溝を形成することによって、面格子本体の開閉はスムーズにできる。
【０００９】
【実施例】
図１から図７は本発明面格子の一実施例を示す。
１はアルミ型材からなり上下枠および左右たて枠からなる周囲枠で、上枠１ａ、下枠１ｂ、左たて枠１ｃ、右たて枠１ｄを有している。２は面格子本体で同じくアルミ型材を方形に組んでいる。該面格子本体は方形枠２ａの中にたて桟２ｂを格子状に配列している。
【００１０】
上記の周囲枠１とその中に開閉自在にとりつけられる方形の面格子本体２との取付状態を詳述すると、まず面格子本体２が周囲枠の中に閉じて納まっている状態（図１、図２、図３参照）では左たて枠１ｃの中に面格子本体の左のたて枠２ａが納まり、かつたて枠２ａは下端が下枠１ｂにスライド自在に載置している。
また面格子本体の右のたて枠２ａと周囲枠の右たて枠１ｄとの間に空間隙３を形成している。この間隙巾は適宜設計できるが、面格子本体のたて桟２ｂ同士の間隙と同じようにすれば意匠的に釣り合いが取れる。
【００１１】
４は面格子本体の施錠装置の側とは反対側の一側の上下にそれぞれとりつけている掛合ピンである。該掛合ピンは後に詳述するが、ピン支持体に２個の掛合ピンを左右方向に沿って近接して立設している。５は上記ピンを受ける受具であり、上、下枠にそれぞれ取り付けられている。６は施錠機構で面格子本体の一側と左たて枠の一側にとりつけられている施錠装置によって形成される。この施錠機構は公知である。
【００１２】
この状態で面格子本体は上下枠に対して、その長手方向に沿って所定の間隔スライドできる。図４、図５が右側にスライド後の状態をしめす。すなわち面格子本体２の左のたて枠２ａが周囲枠の左たて枠１ｃから離れて開いている状態であり、右のたて枠２ａが周囲枠の右たて枠１ｃに接近しており、空間隙３が消失している。
【００１３】
この状態で面格子本体２は片開き扉式に回転して室外側に突出して大きく開いた状態となる。図５の鎖線で示している面格子本体２がそれに該当する。
つまり面格子本体２の一側に設けている掛合ピン４が支点となり、面格子本体が回転して開状態となる。よって避難時には仮に施錠されていれば、その施錠を解いてついで面格子本体を所定間隔引いてスライドし、さらに室外側に回転して開くことによってその開口部から脱出できる。
【００１４】
図６において、面格子本体２の右のたて枠２ａの下端には掛合ピン４を立設している。該掛合ピン４はピン支持体４ａとその支持体に左右方向に沿って近接して立設している２個のピン４ｂ、４ｂとからなっている。しかしてピン支持体４ａをたて枠２ａの下端に取り付けている。上記掛合ピン４は上記右のたて枠の上端にも対称的にとりつけている。
【００１５】
図７において５は掛合ピンの受具であり、合成樹脂成型体、アルミダイカスト等からつくられる。該受具は上枠１ａ、下枠１ｂに止具を介してとりつけられている。５ａはガイド溝、５ｂはガイド溝、５ｃは同じくガイド溝で５ｂのガイド溝と連通している。５ｄは弾性受止片である。
４ｂ、４ｂは掛合ピンで、たて枠２ａの上下端にそれぞ左右方向に沿って近接して２個立設している。この掛合ピンは面格子本体２が右側にスライドするとそれぞれガイド溝５ａ、５ｂにおいて４ｂ′、４ｂ′の位置にスライドする。
【００１６】
次いで面格子本体を回転すると、内側の掛合ピン４ｂ′を支点として回転し、その際外側の掛合ピン４ｂ′はガイド溝５ｃにそって回転する。ガイド溝５ａをスライドした内側の掛合ピン４ｂ′は、弾性受止片５ｄに受止めされており、面格子本体の回転の支点として十分に作用する。該面格子本体を閉める際には逆の操作をすればよく、内側の掛合ピンをスライドするときは弾性受止片５ｄの付勢力に抗してスライドさせればよい。
上記の弾性受止片５ｄは内側の掛合ピン４ｂ′を位置規制するためのものであり、これに替えて当該掛合ピン４ｂ′を位置規制するための凹凸係合部を受具に、または上、下枠に形成することによって掛合ピンとの係合をはかることができる。
【００１７】
図８、図９において、本発明面格子の別実施例を示す。掛合ピン７は面格子本体の上下一側端に突設している。これの形状は図示のとおり長円形、または楕円形など非正円形としている。しかしてガイド溝８は内側に掛合ピン７がガイドされる横長溝８ａと、その外側にそれに連通している円形溝８ｂとを形成している。
【００１８】
面格子本体２をスライドさせると図８に示すごとく、掛合ピン７は鎖線で示す掛合ピン７′の位置に移動する。しかして円形溝８ｂの中におさまる。この状態で面格子本体２は掛合ピン７を支点として回転して、外側に開くことができる（図９参照）。閉じるときは上記逆の操作を行えばよい。
【００１９】
図１０はさらに別の実施例をしめす。面格子本体２の一側には軸棒からなる掛合ピン９を一体的にとりつけている。９ａ、９ａは上下の突設部で上、下枠のガイド溝に納まる。１０、１０は掛合ピンに対して回転自在にとりつけているギヤである。このギヤは不図示であるが周囲枠の上下枠にとりつけているラックと噛合して面格子本体の引戸方向のスライドをスムーズにしている。
【００２０】
また上記の掛合ピンの突設部９ａ、９ａは上下枠、図示では下枠１ｂに形成している横長のガイド溝１１におさめられており、内側から外側の９ａ′の位置にスライド移動する。尚ガイド溝１１には掛合ピンの自由なスライド方向の移動を規制するための弾性受止片１２ａ、１２ａを備える受止体１２をとりつけている。
【００２１】
図１１はさらに別の実施例を示す。周囲枠１の上下枠の一側には面格子本体の掛合ピンを受ける受具１３、１４がとりつけられており、この一対の受具１３、１４間に面格子本体２の一側に形成している支持部２ｃが嵌入されいてる。そしてその支持部にとりつけられている内外一対の掛合ピン１５が、上記受具１３、１４のガイド溝（不図示）に納まっている。
ガイド溝の構造は図７に示すような構造、または当業者が適宜設計できる公知の構造等を採用できる。要は面格子本体が所定間隔引戸方向にスライドでき、次いで室外側に回転できる構造である。
本発明は上記実施例の他に掛合ピンとガイド溝とは逆の部材にとりつけてもよく、またスライドし次いで回転する構造であれば種々設計変更できる。
【００２２】
【効果】
本発明によれば周囲枠に対する面格子本体の開閉は、まず引戸式に上下枠の長手方向に対してスライドし、次いで片開き扉式に一側を支点として回転できる構成であるので、上記した従来構造のものと上下枠の開口巾が同じでも面格子本体の巾は上下枠の長手方向にスライドできる分だけ従来のものより短く設計できるので、コストダウンとなり、軽量であり、施工のやりやすさ、使用者の開閉操作の便利さ、回転機構にかかる荷重の軽減等のメリットがある。
さらに面格子本体と周囲枠の一側のたて枠間に空間隙が生じることとなり、それなりの意匠感を呈する。
【００２３】
さらに施錠装置を設ければ防犯にも適している。しかも面格子本体のスライド機構と回転機構において、面格子本体の一側の上下端に左右方向に沿って掛合ピンを近接して立設し、一方上下枠には、それに対応する箇所に掛合ピン受具を形成し、かつその受具に上記掛合ピンの移動軌跡に合うガイド溝を形成することによって、面格子本体の開閉はスムーズにできる。
【図面の簡単な説明】
【図１】本発明面格子の一実施例を示す略正面図。
【図２】図１のＡーＡ線略断面図。
【図３】図１のＢーＢ線略断面図。
【図４】図１の面格子において面格子本体を右方向にスライドしたときの略正面図。
【図５】図４のＣーＣ線略断面図。
【図６】面格子本体の掛合ピンの取付状態を示す略説明図。
【図７】本発明面格子の掛合ピンと受具との取合い状態を示す略平面図。
【図８】本発明面格子の掛合ピンと受具との他の実施例を示す略平面図。
【図９】図８に示す掛合ピンのピン受具への移動状態を示す略平面図。
【図１０】本発明面格子の掛合ピンの他の実施例を示す略正面図およびガイド溝納まり状態の略平面図。
【図１１】本発明面格子のさらに他の実施例を示す略正面図。
【符号の説明】
１    周囲枠
１ａ  上枠
１ｂ  下枠
１ｃ  左たて枠
１ｄ  右たて枠
２    面格子本体
２ａ  方形枠
２ｂ  たて桟
３    空間隙
４    掛合ピン
５    受具
５ａ  ガイド溝
５ｂ  ガイド溝
５ｃ  ガイド溝
５ｄ  弾性受止片
６    施錠機構
７    掛合ピン
８    ガイド溝
９    掛合ピン
１１  ガイド溝
１５  掛合ピン
【図１】
0003702394.tif 000002
【図２】
0003702394.tif 000003
【図３】
0003702394.tif 000004
【図６】
0003702394.tif 000005
【図４】
0003702394.tif 000006
【図５】
0003702394.tif 000007
【図７】
0003702394.tif 000008
【図８】
0003702394.tif 000009
【図９】
0003702394.tif 000010
【図１０】
0003702394.tif 000011
【図１１】
0003702394.tif 000012